(57)【要約】  本開示は、アレイ基板及び表示装置を提供する。前記アレイ基板は、複数のアレイ状に配置されたピクセルユニットを含み、前記ピクセルユニットは、発光ユニットと、発光ユニットの周りに囲んで設けられたピクセル定義層とを含み、少なくとも一つの前記ピクセルユニットにおける前記発光ユニットの少なくとも一側のピクセル定義層に光波断ち切り溝が設置されており、光波断ち切り溝内に光波遮断層が設けられている。
2020532820.tif 000002
【特許請求の範囲】
【請求項１】
アレイ基板であって、複数のアレイ状に配置されたピクセルユニットを含み、前記ピクセルユニットは、発光ユニットと、前記発光ユニットの周りに囲んで設けられたピクセル定義層とを含み、
少なくとも一つの前記ピクセルユニットにおける前記発光ユニットの少なくとも一側のピクセル定義層に光波断ち切り溝が設置されており、前記光波断ち切り溝内に光波遮断層が設けられていることを特徴とするアレイ基板。
【請求項２】
前記光波断ち切り溝は、対応するピクセルユニットにおける前記発光ユニットをリング状に包囲するか、或いは、
前記光波断ち切り溝は、対応するピクセルユニットにおける前記発光ユニットの少なくとも一側に線状に設置されることを特徴とする請求項１に記載のアレイ基板。
【請求項３】
前記光波断ち切り溝は、ピクセルユニットの行方向に平行な行光波断ち切り溝及び／又はピクセルユニットの列方向に平行な列光波断ち切り溝を含み、
前記行光波断ち切り溝の前記ピクセルユニットの行方向に沿う長さは、前記発光ユニットの前記ピクセルユニットの行方向に沿う長さより大きいか又はそれに等しく、
前記列光波断ち切り溝の前記ピクセルユニットの列方向に沿う長さは、前記発光ユニットの前記ピクセルユニットの列方向に沿う長さより大きいか又はそれに等しいことを特徴とする請求項１に記載のアレイ基板。
【請求項４】
同一行の隣接した各前記行光波断ち切り溝は貫通され、及び／又は、
同一列の隣接した各前記列光波断ち切り溝は貫通されることを特徴とする請求項３に記載のアレイ基板。
【請求項５】
前記発光ユニットは、有機発光ダイオード（Ｏｒｇａｎｉｃ  Ｌｉｇｈｔ  Ｅｍｉｔｔｉｎｇ  Ｄｉｏｄｅ、ＯＬＥＤ）であり、前記ＯＬＥＤは、対向して設置されたアノードと、カソードと、前記アノードと前記カソードの間に位置するＯＬＥＤ発光層とを含み、
前記光波遮断層は、前記カソードの延在部であることを特徴とする請求項１から４のいずれか１項に記載のアレイ基板。
【請求項６】
前記アノードの前記カソードに背向する側に平坦化層及び／又はパッシベーション層が設けられおり、前記光波断ち切り溝は、前記平坦化層及び／又は前記パッシベーション層まで延在し、且つ前記光波断ち切り溝の延在する部分は延在溝であることを特徴とする請求項５に記載のアレイ基板。
【請求項７】
前記アレイ基板は、赤色ピクセルユニットと、緑色ピクセルユニットと、青色ピクセルユニットと、ゲインピクセルユニットとを含み、ピクセルユニットの行方向又はピクセルユニットの列方向に沿って、前記ゲインピクセルユニットの両側にそれぞれ前記赤色ピクセルユニットと、前記緑色ピクセルユニットと、前記青色ピクセルユニットとが組み合わせられたピクセルユニット群が設けられており、前記ゲインピクセルユニットと前記ピクセルユニット群における前記赤色ピクセルユニット、前記緑色ピクセルユニット又は前記青色ピクセルユニットとは隣接して設置され、
前記光波断ち切り溝が設置されている少なくとも一つの前記ピクセルユニットは、前記ゲインピクセルユニットであり、
前記ゲインピクセルユニットにおける発光ユニットは、白色光ＯＬＥＤであることを特徴とする請求項１に記載のアレイ基板。
【請求項８】
前記アレイ基板は、赤色ピクセルユニットと、緑色ピクセルユニットと、青色ピクセルユニットと、ゲインピクセルユニットとを含み、
ピクセルユニットの行方向又はピクセルユニットの列方向に沿って、前記ゲインピクセルユニットの両側にそれぞれ前記赤色ピクセルユニットと、前記緑色ピクセルユニットと、前記青色ピクセルユニットとが組み合わせられたピクセルユニット群が設けられており、前記ゲインピクセルユニットと前記ピクセルユニット群における前記赤色ピクセルユニット、前記緑色ピクセルユニット又は前記青色ピクセルユニットとは隣接して設置され、
前記光波断ち切り溝が設置されている少なくとも一つの前記ピクセルユニットは、前記ゲインピクセルユニットに隣接した前記赤色ピクセルユニットであり、或いは、
前記光波断ち切り溝が設置されている少なくとも一つの前記ピクセルユニットは、前記ゲインピクセルユニットに隣接した前記緑色ピクセルユニットであり、或いは、
前記光波断ち切り溝が設置されている少なくとも一つの前記ピクセルユニットは、前記ゲインピクセルユニットに隣接した前記青色ピクセルユニットであり、
前記ゲインピクセルユニットにおける発光ユニットは、白色光ＯＬＥＤであることを特徴とする請求項１に記載のアレイ基板。
【請求項９】
前記ピクセルユニット群における前記赤色ピクセルユニット、前記緑色ピクセルユニット及び前記青色ピクセルユニットのうち２つ毎の間には、いずれも前記光波断ち切り溝が設けられていないことを特徴とする請求項７又は８に記載のアレイ基板。
【請求項１０】
前記赤色ピクセルユニットの発光ユニットは、赤色光ＯＬＥＤであり、前記緑色ピクセルユニットの発光ユニットは、緑色光ＯＬＥＤであり、前記青色ピクセルユニットの発光ユニットは、青色光ＯＬＥＤであることを特徴とする請求項７又は８に記載のアレイ基板。
【請求項１１】
前記赤色ピクセルユニットの発光ユニットは、白色光ＯＬＥＤであり、前記赤色ピクセルユニットは、白色光ＯＬＥＤの光出射側に設けられた赤色カラーフィルタを更に含み、
前記緑色ピクセルユニットの発光ユニットは、白色光ＯＬＥＤであり、前記緑色ピクセルユニットは、白色光ＯＬＥＤの光出射側に設けられた緑色カラーフィルタを更に含み、
前記青色ピクセルユニットの発光ユニットは、白色光ＯＬＥＤであり、前記青色ピクセルユニットは、白色光ＯＬＥＤの光出射側に設けられた青色カラーフィルタを更に含むことを特徴とする請求項７又は８に記載のアレイ基板。
【請求項１２】
請求項１乃至１１のいずれか１項に記載のアレイ基板を含む表示装置。
【発明の詳細な説明】
【技術分野】
【０００１】
（関連出願の相互参照）
本出願は、２０１７年９月６日に中国特許庁に提出された中国特許出願第２０１７２１１３７２８７．８号の優先権を主張し、その全ての内容が援用により本出願に取り込まれる。
【０００２】
本開示は、表示技術分野に関し、特にアレイ基板及び表示装置に関する。
【背景技術】
【０００３】
有機発光ダイオード（Ｏｒｇａｎｉｃ  Ｌｉｇｈｔ  Ｅｍｉｔｔｉｎｇ  Ｄｉｏｄｅ、ＯＬＥＤと略称）、特にアクティブマトリクス有機発光ダイオード（Ａｃｔｉｖｅ-ｍａｔｒｉｘ  Ｏｒｇａｎｉｃ  Ｌｉｇｈｔ  Ｅｍｉｔｔｉｎｇ  Ｄｉｏｄｅ、ＡＭＯＬＥＤと略称）は、高い輝度及びフル視野角を有し、且つ応答速度が速くてフレキシブル表示等の利点で、既に表示分野で広く応用されている。
【発明の概要】
【０００４】
本開示は、アレイ基板及び表示装置を提供する。
【０００５】
本開示の第１側面は、複数のアレイ状に配置されたピクセルユニットを含み、前記ピクセルユニットは、発光ユニットと、前記発光ユニットの周りに囲んで設けられたピクセル定義層とを含み、少なくとも一つの前記ピクセルユニットにおける前記発光ユニットの少なくとも一側のピクセル定義層に光波断ち切り溝が設置されており、前記光波断ち切り溝内に光波遮断層が設けられている、アレイ基板を提供する。
【０００６】
選択的に、前記光波断ち切り溝は、対応するピクセルユニットにおける前記発光ユニットをリング状に包囲するか、或いは、
前記光波断ち切り溝は、対応するピクセルユニットにおける前記発光ユニットの少なくとも一側に線状に設置される。
【０００７】
選択的に、前記光波断ち切り溝は、ピクセルユニットの行方向に平行な行光波断ち切り溝、及び／又はピクセルユニットの列方向に平行な列光波断ち切り溝を含み、
前記行光波断ち切り溝の前記ピクセルユニットの行方向に沿う長さは、前記発光ユニットの前記ピクセルユニットの行方向に沿う長さより大きいか又はそれに等しく、
前記列光波断ち切り溝の前記ピクセルユニットの列方向に沿う長さは、前記発光ユニットの前記ピクセルユニットの列方向に沿う長さより大きいか又はそれに等しい。
【０００８】
選択的に、同一行の隣接した各前記行光波断ち切り溝は貫通され、及び／又は、
同一列の隣接した各前記列光波断ち切り溝は貫通される。
【０００９】
選択的に、前記発光ユニットは、有機発光ダイオード（Ｏｒｇａｎｉｃ  Ｌｉｇｈｔ  Ｅｍｉｔｔｉｎｇ  Ｄｉｏｄｅ、ＯＬＥＤ）であり、前記ＯＬＥＤは、対向して設置されたアノードと、カソードと、前記アノードと前記カソードの間に位置するＯＬＥＤ発光層とを含み、
前記光波遮断層は、前記カソードの延在部である。
【００１０】
選択的に、前記アノードの前記カソードに背向する側に平坦化層及び／又はパッシベーション層が設けられおり、前記平坦化層及び／又は前記パッシベーション層の前記光波断ち切り溝に対応する領域に前記光波断ち切り溝の延在溝が設けられており、前記光波遮断層はさらに前記延在溝を覆う。
【００１１】
選択的に、前記アレイ基板は、赤色ピクセルユニットと、緑色ピクセルユニットと、青色ピクセルユニットと、ゲインピクセルユニットとを含み、ピクセルユニットの行方向又はピクセルユニットの列方向に沿って、前記ゲインピクセルユニットの両側にそれぞれ前記赤色ピクセルユニットと、前記緑色ピクセルユニットと、前記青色ピクセルユニットとが組み合わせられたピクセルユニット群が設けられており、前記ゲインピクセルユニットと前記ピクセルユニット群における前記赤色ピクセルユニット、前記緑色ピクセルユニット又は前記青色ピクセルユニットとは隣接して設置され、
前記光波断ち切り溝が設置されている少なくとも一つの前記ピクセルユニットは、前記ゲインピクセルユニットであり、
前記ゲインピクセルユニットにおける発光ユニットは、白色光ＯＬＥＤである。
【００１２】
選択的に、前記アレイ基板は、赤色ピクセルユニットと、緑色ピクセルユニットと、青色ピクセルユニットと、ゲインピクセルユニットとを含み、ピクセルユニットの行方向又はピクセルユニットの列方向に沿って、前記ゲインピクセルユニットの両側にそれぞれ前記赤色ピクセルユニットと、前記緑色ピクセルユニットと、前記青色ピクセルユニットとが組み合わせられたピクセルユニット群が設けられており、前記ゲインピクセルユニットと前記ピクセルユニット群における前記赤色ピクセルユニット、前記緑色ピクセルユニット又は前記青色ピクセルユニットとは隣接して設置され、
前記光波断ち切り溝が設置されている少なくとも一つの前記ピクセルユニットは、前記ゲインピクセルユニットに隣接した前記赤色ピクセルユニットであり、或いは、
前記光波断ち切り溝が設置されている少なくとも一つの前記ピクセルユニットは、前記ゲインピクセルユニットに隣接した前記緑色ピクセルユニットであり、或いは、
前記光波断ち切り溝が設置されている少なくとも一つの前記ピクセルユニットは、前記ゲインピクセルユニットに隣接した前記青色ピクセルユニットであり、
前記ゲインピクセルユニットにおける発光ユニットは、白色光ＯＬＥＤである。
【００１３】
選択的に、前記ピクセルユニット群における前記赤色ピクセルユニット、前記緑色ピクセルユニット及び前記青色ピクセルユニットのうち２つ毎の間には、いずれも前記光波断ち切り溝が設けられていない。
【００１４】
選択的に、前記赤色ピクセルユニットの発光ユニットは、赤色光ＯＬＥＤであり、前記緑色ピクセルユニットの発光ユニットは、緑色光ＯＬＥＤであり、前記青色ピクセルユニットの発光ユニットは、青色光ＯＬＥＤである。
【００１５】
選択的に、前記赤色ピクセルユニットの発光ユニットは、白色光ＯＬＥＤであり、前記赤色ピクセルユニットは、白色光ＯＬＥＤの光出射側に設けられた赤色カラーフィルタを更に含み、
前記緑色ピクセルユニットの発光ユニットは、白色光ＯＬＥＤであり、前記緑色ピクセルユニットは、白色光ＯＬＥＤの光出射側に設けられた緑色カラーフィルタを更に含み、
前記青色ピクセルユニットの発光ユニットは、白色光ＯＬＥＤであり、前記青色ピクセルユニットは、白色光ＯＬＥＤの光出射側に設けられた青色カラーフィルタを更に含む。
【００１６】
本開示の第２側面は、上記のようなアレイ基板を含む表示装置を提供する。
【図面の簡単な説明】
【００１７】
【図１】本開示の一部の実施例に係るアレイ基板の構造模式図である。
【図２】図１における本開示の一部の実施例に係るアレイ基板のＡ−Ａ’断面図１である。
【図３】図１における本開示の一部の実施例に係るアレイ基板のＡ−Ａ’断面図２である。
【図４】図１における本開示の一部の実施例に係るアレイ基板のＡ−Ａ’断面図３である。
【図５】本開示の一部の実施例に係る光波断ち切り溝の分布模式図１である。
【図６】本開示の一部の実施例に係る光波断ち切り溝の分布模式図２である。
【図７】本開示の一部の実施例に係るＲＧＢＷ型アレイ基板の構造模式図である。
【図８】図７における本開示の一部の実施例に係るＲＧＢＷ型アレイ基板のＣ−Ｃ’断面図である。
【発明を実施するための形態】
【００１８】
理解の便宜を図るため、以下、明細書・図面を結び付けて、本開示の実施例に係るアレイ基板及び表示装置を詳細に説明することにする。
【００１９】
現在、ＡＭＯＬＥＤを採用するアレイ基板に複数のアレイ状に配置されたピクセルユニットが設置されており、各々のピクセルユニットは、いずれもＯＬＥＤと、ＯＬＥＤの周りに囲んで設けられたピクセル定義層とを含む。然しながら、ＯＬＥＤの出射光の一部は、ピクセル定義層に進入した後、隣接したピクセルユニットに光干渉をもたらしやすく、即ち、ピクセル定義層に進入した一部のＯＬＥＤの出射光は、隣接したピクセルユニットにおけるＯＬＥＤの光出射効果に影響を及ぼしやすく、従ってアレイ基板の所在する表示装置の表示品質を低下させる。
【００２０】
図１は、本開示の一部の実施例に係るアレイ基板の構造模式図である。図２は、図１における本開示の一部の実施例に係るアレイ基板のＡ−Ａ’断面図１である。図１及び図２を参照すると、本開示の一部の実施例に係るアレイ基板は、複数のアレイ状に配置されたピクセルユニットを含む。ピクセルユニットは、発光ユニット３と、発光ユニット３の周りに囲んで設けられたピクセル定義層１５とを含む。少なくとも一つのピクセルユニットにおける前記発光ユニットの少なくとも一側におけるピクセル定義層１５に光波断ち切り溝４が設置されており、光波断ち切り溝４内に光波遮断層５が設けられている。
【００２１】
上記の実施例において、光波断ち切り溝４は、本ピクセルユニットと隣接したピクセルユニットの間のピクセル定義層１５の連結を断ち切るために用いられ、光波断ち切り溝４のピクセル定義層１５における設置位置は多様であって良い。例えば、図１に示すように、光波断ち切り溝４は、本ピクセルユニット内部のピクセル定義層１５に設置されている。図５は、本開示の一部の実施例に係る光波断ち切り溝の分布模式図１である。図５に示すように、光波断ち切り溝４は、本ピクセルユニットのピクセル定義層１５の境界の所に設置され、即ち、本ピクセルユニットと隣接したピクセルユニットの境目の所に設置されている。この時、当該光波断ち切り溝４は、本ピクセルユニット及び隣接したピクセルユニットに属するいずれかの一つに対応することができる。光波断ち切り溝４の設置形態は多様であって良い。例示的に、光波断ち切り溝４は、対応するピクセルユニットの発光ユニット３をリング状に包囲し、例えば、光波断ち切り溝４を図１に示す矩形リング溝４１又は楕円リング溝４２の等に設置することができる。また、光波断ち切り溝４を分段式に設置しても良い。例えば、光波断ち切り溝４を対応するピクセルユニットにおける発光ユニット３の少なくとも一側に線状に設置し、即ち、各々のピクセルユニットにおいて、発光ユニット３の両側ともに光波断ち切り溝４を線状に設置することができる。発光ユニット３の一側のみに光波断ち切り溝４を線状に設置し、発光ユニット３の他側の隣接したピクセルユニットにおける発光ユニットの発光ユニット３に近い側には、光波断ち切り溝４を線状に設置することができる。発光ユニット３の両側ともに光波断ち切り溝４を非線状に設置し、それぞれ発光ユニット３の両側の隣接したピクセルユニットにおける発光ユニットの発光ユニット３に近い側には、光波断ち切り溝４を線状に設置することができる。発光ユニット３及び隣接したピクセルユニットにおける発光ユニットの発光ユニット３に近い側ともに光波断ち切り溝４を線状に設置しても良い。二つの隣接したピクセルユニットの発光ユニットの間に少なくとも一つの光波断ち切り溝４が設けられてあることを保証すれば良い。
【００２２】
なお、上記の光波遮断層５は、遮光材料、例えば、遮光金属を選んで製造されても良いし、透光性材料、例えば、ピクセル定義層１５の製造材料とは異なる屈折率及び反射率を有する材料を選んで製造されても良い。ピクセル定義層１５は、通常、有機樹脂材料で製造される。
【００２３】
本開示の一部の実施例に係るアレイ基板は、少なくとも一つのピクセルユニットにおけるピクセル定義層１５に光波断ち切り溝４を設置し、光波断ち切り溝４内に光波遮断層５を設置し、光波断ち切り溝４を利用して本ピクセルユニットと隣接したピクセルユニットの間のピクセル定義層１５の連結を断ち切る。発光ユニット３の出射光の一部がピクセル定義層１５に進入し、且つ光波断ち切り溝４に伝播される時、光波断ち切り溝４内に設置された光波遮断層５は、当該部分の出射光がピクセル定義層１５内で全反射することを避け、当該部分の出射光がピクセル定義層１５内でその各反射経路に沿って絶え間なく伝播されることを阻むことができ、従ってピクセル定義層１５が光波導体になることを避け、本ピクセルユニットの隣接したピクセルユニットに対する光干渉を効果的に低減するか、或いは、隣接したピクセルユニットの本ピクセルユニットに対する光干渉を低減でき、アレイ基板の所在する表示装置の表示品質を向上させる。
【００２４】
言及するに値することは、上記の実施例において、光波断ち切り溝４が分段されて線状に設置される時、各段の進行方向は、実際の必要によって自ら設定することができる。図６は、本開示の一部の実施例に係る光波断ち切り溝の分布模式図２である。図６を参照すると、ピクセルユニットの行方向に平行な光波断ち切り溝を行光波断ち切り溝４６と定義し、ピクセルユニットの列方向に平行な光波断ち切り溝を列光波断ち切り溝４７と定義する。この時、本実施例に係るアレイ基板において、その光波断ち切り溝４は、行光波断ち切り溝４６及び／又は列光波断ち切り溝４７を含み、行光波断ち切り溝４６のピクセルユニットの行方向に沿う長さＢ１が、発光ユニット３のピクセルユニットの行方向に沿う長さＢ０より大きいか又はそれに等しくなるようにして、列光波断ち切り溝４７のピクセルユニットの列方向に沿う長さＬ１が、発光ユニット３のピクセルユニットの列方向に沿う長さＬ０より大きいか又はそれに等しくなるようにする。行光波断ち切り溝４６及び／又は列光波断ち切り溝４７は、光波断ち切り溝４内に位置する光波遮断層５が発光ユニット３の出射光のピクセル定義層１５内の伝播を阻むことを保証することができ、従って本ピクセルユニットの隣接したピクセルユニットに対する光干渉を効果的に低減するか、或いは、隣接したピクセルユニットの本ピクセルユニットに対する光干渉を低減し、ひいてはアレイ基板の所在する表示装置の表示品質を向上させる。
【００２５】
補足すべきことは、図５及び図６を参照すると、本開示の一部の実施例に係るアレイ基板において、光波断ち切り溝４の製作の便宜を図るため、光波断ち切り溝４がリング状構造に設けられる場合、光波断ち切り溝４は、２つ又は複数の隣接した発光ユニット３の周りにリング状に囲んでいても良いが、例えば、図６における共通リング溝４３のようである。光波断ち切り溝４が分段されて線状に設置される場合、同一行の隣接した各行光波断ち切り溝４６は互いに貫通して、図６に示すような水平溝４５を形成することができる。同様に、同一列の隣接した各列光波断ち切り溝４７も互いに貫通して、図６に示すような鉛直溝４４を形成することができる。なお、各光波断ち切り溝４がいずれも本ピクセルユニットと隣接したピクセルユニットとの境目の所に設けられる場合、各隣接した光波断ち切り溝４を互いに貫通させて、各光波断ち切り溝４がピクセル定義層１５で図５に示すような各行及び各列の光波断ち切り溝４が相互に交差する格子形状を形成するようにし、各々の発光ユニットは、各々の相互に交差する各行及び各列の光波断ち切り溝４により限定される格子に対応して位置する。
【００２６】
理解できることは、図２を参照すると、上記の実施例に係るアレイ基板において、そのピクセルユニットにおける発光ユニット３は、ＯＬＥＤを採用することができる。ＯＬＥＤは、通常、対向して設置されるアノード３１と、カソード３３と、アノード３１とカソード３３の間に位置するＯＬＥＤ発光層３２とを含む。アノード３１は、通常、酸化インジウムスズ（Ｉｎｄｉｕｍ  Ｔｉｎ  Ｏｘｉｄｅ、ＩＴＯと略称）材料で製作して形成される。ＯＬＥＤ発光層３２は、単一層の有機発光層を採用しても良いし、正孔輸送層、有機発光層及び電子輸送層等により形成される複数層構造を採用しても良い。カソード３３は、通常、金属材料、例えば、アルミニウム（Ａｌ）又はその合金材料で製作して形成される。カソード３３の延在部を上記の光波遮断層５とし、これにより、アレイ基板の製作工程を簡略化できるようにし、アレイ基板の生産効率の向上に有利である。
【００２７】
なお、図２を引き続き参照すると、本開示の一部の実施例に係るアレイ基板において、発光ユニット３とベース基板１の間には、通常、発光ユニット３の発光を駆動するための薄膜トランジスタ２が設置されている。当該薄膜トランジスタ２は、酸化物半導体薄膜トランジスタ、ポリシリコン薄膜トランジスタ又はアモルファスシリコン薄膜トランジスタのうちいずれか一種であって良い。また、当該薄膜トランジスタ２は、トップゲート型薄膜トランジスタ又はボトムゲート型薄膜トランジスタであって良く、ここでは具体的に限定しないことにする。
【００２８】
例示的に、図２を引き続き参照すると、本開示の一部の実施例は、具体的なトップゲート型薄膜トランジスタ構造を提供する。当該トップゲート型薄膜トランジスタは、ベース基板１上に積層して設置された活性層２１と、ゲート絶縁層１１と、ゲート電極２２と、層間絶縁層１２とを含み、ドレイン電極２３及びソース電極２４は、それぞれ層間絶縁層１２上に設置され、層間絶縁層１２及びゲート絶縁層１１上に、それぞれドレイン電極２３及びソース電極２４に対応するビアホールが設置されており、当該ドレイン電極２３及びソース電極２４は、それぞれ対応するビアホールを介して活性層２１に接続される。ドレイン電極２３及びソース電極２４の上表面に、パッシベーション層１３及びピクセル定義層１５が積層して設置され、ピクセル定義層１５にＯＬＥＤに対応する複数の開口領域が設置されており、ＯＬＥＤは、ピクセル定義層１５の開口領域に設置される。パッシベーション層１３にアノード３１に対応するビアホールが設置されており、ＯＬＥＤのアノード３１は、当該パッシベーション層１３におけるビアホールを介してドレイン電極２３に接続される。活性層３４は、インジウム・ガリウム・亜鉛酸化物層(ｉｎｄｉｕｍ  ｇａｌｌｉｕｍ  ｚｉｎｃ  ｏｘｉｄｅ、ＩＧＺＯと略称)であって良い。ゲート絶縁層１１及び層間絶縁層１２は、いずれも単一層構造、例えば、窒化ケイ素層又は酸化ケイ素層であっても良いし、いずれも複数層構造、例えば、窒化ケイ素層と酸化ケイ素層とから形成される積層構造であっても良い。パッシベーション層１３は、窒化ケイ素層であって良い。
【００２９】
図２に示すようなアレイ基板において、ピクセル定義層１５とパッシベーション層１３とが隣接して設置されているため、ＯＬＥＤの出射光の一部は、パッシベーション層１３内に進入した後でも、当該部分の出射光のパッシベーション層１３内の横方向伝播により隣接したピクセルユニットに光干渉をもたらしやすい。このため、隣接したピクセルユニットの間の光干渉をさらに低減するために、図３は、図１における本開示の一部の実施例に係るアレイ基板のＡ−Ａ’断面図２であり、図４は、図１における本開示の一部の実施例に係るアレイ基板のＡ−Ａ’断面図３である。図３及び図４を参照すると、本実施例に係るアレイ基板において、ＯＬＥＤのアノード３１のそのカソード３３に背向する側に他の膜層、例えば、平坦化層１４及び／又はパッシベーション層１３が設けられていると、光波断ち切り溝４は、平坦化層１４及び／又はパッシベーション層１３まで延在することができ、光波断ち切り溝４の平坦化層１４及び／又はパッシベーション層１３における延在部分は延在溝４０である。当該延在溝４０は、光波断ち切り溝４の溝深さを深めて、光波断ち切り溝４がピクセル定義層１５から平坦化層１４及び／又はパッシベーション層１３までずっと延在するようにする。当該延在された光波断ち切り溝４を利用して、本ピクセルユニットと隣接したピクセルユニットの間の他の膜層、例えば、平坦化層１４及び／又はパッシベーション層１３との連結をさらに断ち切り、従って出射光が他の膜層内で横方向に伝播され、隣接したピクセルユニットに光干渉をもたらすことを効果的に防止する。平坦化層１４は、ポリマ樹脂材料又はフォトレジスト材料で製造されることができる。
【００３０】
図３を参照すると、ＯＬＥＤのアノード３１のそのカソード３３に背向する側にパッシベーション層１３が設けられる場合を例として、即ち、ピクセル定義層１５とパッシベーション層１３とが隣接して設置される場合、ピクセル定義層１５及びパッシベーション層１３上に光波断ち切り溝４が設置されており、光波断ち切り溝４がピクセル定義層１５とパッシベーション層１３の間で延在する部分は、延在溝４０であり、光波遮断層５は、光波断ち切り溝４全体を覆う。この場合、発光ユニット３の出射光の一部がピクセル定義層１５及び／又はパッシベーション層１３内に進入し且つ光波断ち切り溝４まで伝播される時、光波断ち切り溝４内に設けられた光波遮断層５は、当該部分の発光ユニット３の出射光のピクセル定義層１５及び／又はパッシベーション層１３内の伝播を阻むことができ、ピクセル定義層１５及びパッシベーション層１３が光波導体になることを避け、従って本ピクセルユニットの隣接したピクセルユニットに対する光干渉を効果的に低減するか、或いは、隣接したピクセルユニットの本ピクセルユニットに対する光干渉を低減し、ひいては、アレイ基板の所在する表示装置の表示品質を向上させる。
【００３１】
ＯＬＥＤのアノード３１のそのカソード３３に背向する側に平坦化層１４と、パッシベーション層１３とが逐次設けられている場合、その光波断ち切り溝４の設置は図４に示す通りであり、その技術原理及び技術効果は類似しており、ここでは詳述しないことにする。
【００３２】
言及するに値することは、図７は、本開示の一部の実施例に係るＲＧＢＷ型アレイ基板の構造模式図である。図７を参照すると、ＲＧＢＷ４色型のピクセルモードを採用したアレイ基板において、ピクセルユニットは、通常、赤色ピクセルユニット（Ｒ）と、緑色ピクセルユニット（Ｇ）と、青色ピクセルユニット（Ｂ）と、ゲインピクセルユニット（Ｗ）６とを含む。ピクセルユニットの行方向又はピクセルユニットの列方向に沿って、ゲインピクセルユニット（Ｗ）６の両側にそれぞれ赤色ピクセルユニット（Ｒ）と、緑色ピクセルユニット（Ｇ）と、青色ピクセルユニット（Ｂ）とが組み合わせられたピクセルユニット群７が設けられている。ピクセルユニット群７における赤色ピクセルユニット（Ｒ）、緑色ピクセルユニット（Ｇ）及び青色ピクセルユニット（Ｂ）はランダムに組み合わせられることができるため、ゲインピクセルユニット（Ｗ）は、ピクセルユニット群７における赤色ピクセルユニット（Ｒ）と隣接して設置されても良いし、ピクセルユニット群７における緑色ピクセルユニット（Ｇ）と隣接して設置されても良いし、ピクセルユニット群７における青色ピクセルユニット（Ｂ）と隣接して設置されても良い。
【００３３】
赤色ピクセルユニット（Ｒ）の出射光の色は赤色であり、緑色ピクセルユニット（Ｇ）の出射光の色は緑色であり、青色ピクセルユニット（Ｂ）の出射光の色は青色であり、ゲインピクセルユニット（Ｗ）６の出射光の色は白色であり、ゲインピクセルユニット（Ｗ）６と、ピクセルユニット群７における赤色ピクセルユニット（Ｒ）、緑色ピクセルユニット（Ｇ）及び青色ピクセルユニット（Ｂ）とを比較すると、ゲインピクセルユニット（Ｗ）６の発光輝度が比較的に大きく、隣接したピクセルユニット群７における赤色ピクセルユニット（Ｒ）、緑色ピクセルユニット（Ｇ）及び青色ピクセルユニット（Ｂ）の光出射効果に対する影響も比較的に大きい。このため、図７を参照すると、本開示の一部の実施例は、少なくとも一つのゲインピクセルユニット（Ｗ）６における発光ユニット３と隣接したピクセルユニット群７の間に上記の光波断ち切り溝４を設置し、即ち、少なくとも一つのゲインピクセルユニット（Ｗ）６における発光ユニット３と隣接した赤色ピクセルユニット（Ｒ）における発光ユニット３の間に、少なくとも一つのゲインピクセルユニット（Ｗ）６における発光ユニット３と隣接した緑色ピクセルユニット（Ｇ）における発光ユニット３の間に、或いは、少なくとも一つのゲインピクセルユニット（Ｗ）６における発光ユニット３と隣接した青色ピクセルユニット（Ｂ）における発光ユニット３の間に、上記の光波断ち切り溝４を設置する。当該光波断ち切り溝４は、光波断ち切り溝４における光波遮断層を利用して、ゲインピクセルユニット（Ｗ）６の隣接したピクセルユニット群７における赤色ピクセルユニット（Ｒ）、緑色ピクセルユニット（Ｇ）及び青色ピクセルユニット（Ｂ）に対する光干渉を効果的に低減し、従ってアレイ基板における光の色域が低下することを避け、アレイ基板の所在する表示装置が良好な表示品質を有することを保証する。
【００３４】
説明すべきことは、ゲインピクセルユニット（Ｗ）６における発光ユニット３は、白色光ＯＬＥＤである。上記の光波断ち切り溝４がゲインピクセルユニット（Ｗ）６における発光ユニット３と隣接したピクセルユニット群７の間に設置される場合、光波断ち切り溝４は、ゲインピクセルユニット（Ｗ）６における白色光ＯＬＥＤのピクセルユニット群７に隣接する側に設置され、即ち、ゲインピクセルユニット（Ｗ）６におけるピクセル定義層の隣接したピクセルユニット群７に近い領域に設置されることができる。光波断ち切り溝４は、ピクセルユニット群７の中でゲインピクセルユニット（Ｗ）６と隣接して設置された他のピクセルユニットに設置されても良い。例えば、ゲインピクセルユニット（Ｗ）６と隣接して設置されたのが赤色ピクセルユニット（Ｒ）である場合、光波断ち切り溝４は、赤色ピクセルユニット（Ｒ）における発光ユニット３のゲインピクセルユニット（Ｗ）６に隣接する側に設置されることができる。ゲインピクセルユニット（Ｗ）６と隣接して設置されたのが緑色ピクセルユニット（Ｇ）である場合、光波断ち切り溝４は、緑色ピクセルユニット（Ｇ）における発光ユニット３のゲインピクセルユニット（Ｗ）６に隣接する側に設置されることができる。ゲインピクセルユニット（Ｗ）６と隣接して設置されたのが青色ピクセルユニット（Ｂ）である場合、光波断ち切り溝４は、青色ピクセルユニット（Ｂ）における発光ユニット３のゲインピクセルユニット（Ｗ）６に隣接する側に設置されることができる。そして、光波断ち切り溝４をピクセルユニット群７とゲインピクセルユニット（Ｗ）６の境目の所に設置しても良いし、隣接して設置されたピクセルユニット群７とゲインピクセルユニット（Ｗ）６の境目の所に隣接する両側にいずれも光波断ち切り溝４を設置しても良く、ここでは詳細に記述しないことにする。
【００３５】
例示的に、図７を引き続き参照すると、本開示の一部の実施例において、ピクセルユニットの行方向に沿って、ゲインピクセルユニット（Ｗ）６の両側にそれぞれピクセルユニット群７が設置される。この時、光波断ち切り溝４は、列光波断ち切り溝を採用し、且つそれぞれゲインピクセルユニット（Ｗ）６における発光ユニット３のピクセルユニット群７に隣接する両側に設けられることができる。ピクセルユニット群７は、赤色ピクセルユニット（Ｒ）と、緑色ピクセルユニット（Ｇ）と、青色ピクセルユニット（Ｂ）とから構成され、且つ赤色ピクセルユニット（Ｒ）、緑色ピクセルユニット（Ｇ）及び青色ピクセルユニット（Ｂ）の相互間の光干渉は、ゲインピクセルユニット（Ｗ）の赤色ピクセルユニット（Ｒ）、緑色ピクセルユニット（Ｇ）及び青色ピクセルユニット（Ｂ）に対する光干渉より小さい。このため、ピクセルユニット群７における赤色ピクセルユニット（Ｒ）、緑色ピクセルユニット（Ｇ）、青色ピクセルユニット（Ｂ）のうち２つ毎の間に光波断ち切り溝４がなくても良いし、即ち、ピクセルユニット群７において、その赤色ピクセルユニット（Ｒ）における発光ユニット３、緑色ピクセルユニット（Ｇ）における発光ユニット３及び青色ピクセルユニット（Ｂ）における発光ユニット３のうち隣接した２つ毎の間には、いずれも光波断ち切り溝４を設置しなくても良く、これは、光波断ち切り溝４の数を減らし、工程難易度を低下させることができる。
【００３６】
補足すべきことは、上記の実施例において、赤色ピクセルユニット（Ｒ）における発光ユニットは、赤色光ＯＬＥＤであって良い。緑色ピクセルユニット（Ｇ）における発光ユニットは、緑色光ＯＬＥＤであって良い。青色ピクセルユニット（Ｂ）における発光ユニットは、青色光ＯＬＥＤであって良い。
【００３７】
なお、ゲインピクセルユニット（Ｗ）における発光ユニットが白色光ＯＬＥＤであるため、アレイ基板の製作の便宜を図るため、図８は、図７における本開示の一部の実施例に係るＲＧＢＷ型アレイ基板のＣ−Ｃ’断面図である。図８を参照すると、赤色ピクセルユニット（Ｒ）における発光ユニット、緑色ピクセルユニット（Ｇ）における発光ユニット及び青色ピクセルユニット（Ｂ）における発光ユニットをいずれも白色光ＯＬＥＤに設置すると共に、赤色ピクセルユニット（Ｒ）における白色光ＯＬＥＤの光出射側に赤色カラーフィルタ１６を設置し、緑色ピクセルユニット（Ｇ）における白色光ＯＬＥＤの光出射側に緑色カラーフィルタ１７を設置し、青色ピクセルユニット（Ｂ）における白色光ＯＬＥＤの光出射側に青色カラーフィルタ１８を設置しても良い。
【００３８】
例示的に、図８を参照すると、本実施例において、赤色ピクセルユニット（Ｒ）における発光ユニット、緑色ピクセルユニット（Ｇ）における発光ユニット、青色ピクセルユニット（Ｂ）における発光ユニット及びゲインピクセルユニット（Ｗ）における発光ユニットは、いずれも白色光ＯＬＥＤである。各白色光ＯＬＥＤにおけるＯＬＥＤ発光層３２及びカソード３３は、いずれも一体成型され、即ち、各白色光ＯＬＥＤの中でのＯＬＥＤ発光層３２及びカソード３３は、それぞれ一層全体に対応して設置されることができる。この時光波断ち切り溝４及びその延在溝４０内に対応して設けられた光波遮断層５は、ＯＬＥＤ発光層３２及びカソード３３の積層された一部であって良い。
【００３９】
図８を引き続き参照すると、本実施例において、白色光ＯＬＥＤは、ボトムエミッション型モードを選んで用い、即ち、白色光ＯＬＥＤの光出射側は、そのアノード３１の側に位置する。白色光ＯＬＥＤのアノード３１と薄膜トランジスタのソース・ドレイン電極の間に平坦化層１４とパッシベーション層１３とが積層して設けられている場合、赤色ピクセルユニット（Ｒ）における赤色カラーフィルタ１６は、平坦化層１４とパッシベーション層１３の間の赤色ピクセルユニット（Ｒ）に対応する領域に設けられることができ、緑色ピクセルユニット（Ｇ）における緑色カラーフィルタ１７は、平坦化層１４とパッシベーション層１３の間の緑色ピクセルユニット（Ｇ）に対応する領域に設けられることができ、青色ピクセルユニット（Ｂ）における青色カラーフィルタ１８は、平坦化層１４とパッシベーション層１３の間の青色ピクセルユニット（Ｂ）に対応する領域に設けられることができ、平坦化層１４とパッシベーション層１３の間のゲインピクセルユニット（Ｗ）に対応する領域にはカラーフィルタが設置されない。この時、光波断ち切り溝４は、ピクセル定義層１５から平坦化層１４までずっと延在し、且つ、光波断ち切り溝４の平坦化層１４とピクセル定義層１５の間で延在する部分は延在溝４０であり、光波遮断層５は、光波断ち切り溝４全体を覆う。ＯＬＥＤの白色光がカラーフィルタを経て対応する色の光を形成する時、光波断ち切り溝４の延在溝４０内に設置された光波遮断層５は、当該対応する色の光（例えば、青色光）が平坦化層１４内で全反射することを避け、当該部分の出射光が平坦化層１４内でその各反射経路に沿って絶え間なく伝播することを阻むことができることで、平坦化層１４が光波導体になることを避け、本ピクセルユニットの隣接したピクセルユニットに対する光干渉を効果的に低減し、ひいては、アレイ基板の所在する表示装置の表示品質を向上させる。
【００４０】
本開示の一部の実施例は、上記の実施例に係るアレイ基板を含む表示装置を更に提供する。前記表示装置におけるアレイ基板の有する利点は、上記の実施例におけるアレイ基板と同一であり、ここでは詳細に記述しないことにする。
【００４１】
上記の実施例に係る表示装置は、携帯電話、タブレットＰＣ、テレビ、ディスプレイ、ノートＰＣ、デジタルフォトフレーム又はナビゲータ等の表示機能付きの製品又は部材であって良い。
【００４２】
上記の実施形態の記述において、具体的な特徴、構造、材料或いは特点は、いかなる一つ又は複数の実施例又は例において適切な形態で結び付けられることができる。
【００４３】
上記のものは単に本開示の選択可能な実施形態である。注意すべきことは、本技術の分野における通常の知識を有する者は、本開示の原理を逸脱しない前提で若干の改良及び潤飾をさらに行うことができ、これらの改良及び潤飾も本開示の保護範囲内であると見なすべきである。
【図１】
2020532820.tif 000003
【図２】
2020532820.tif 000004
【図３】
2020532820.tif 000005
【図４】
2020532820.tif 000006
【図５】
2020532820.tif 000007
【図６】
2020532820.tif 000008
【図７】
2020532820.tif 000009
【図８】
2020532820.tif 000010
【国際調査報告】
2020532820.tif 000011
2020532820.tif 000012
2020532820.tif 000013
2020532820.tif 000014